(57)【要約】      （修正有）【課題】効率的な設置及び／又は取り扱いを可能にするカメラハウジング構成を提供する。【解決手段】旋回ジョイント１１４は、カメラハウジング部材１０２に結合されたフック部分１１６とカメラハウジング取り付け部材１０４に結合された旋回軸部分１１８を備え、カメラハウジング部材は、カメラハウジング取り付け部材と連結された状態で、カメラハウジング部材延伸平面１０８が取り付け平面１１０に対して傾けられたときの第１の端位置と、カメラハウジング部材延伸平面が取り付け平面に整列した第２の端位置と、の間で旋回ジョイント１１４の周りで関節接合によって可動であり、カメラハウジング部材が第１の端位置にあるときに、支台１１２が、カメラハウジング取り付け部材と係合して、部材１０２と部材１０４の連結解除を妨げるように、支台が、カメラハウジング部材に結合され、カメラハウジング取り付け部材と協働するように配置されている。【選択図】図３
2019032504.tif 000002
【特許請求の範囲】
【請求項１】
カメラハウジング構成（１００）であって、
底側（１０６）を有し且つカメラハウジング部材延伸平面（１０８）内で延在するカメラハウジング部材（１０２）、
取り付け平面（１１０）を規定し且つ前記カメラハウジング部材（１０２）の前記底側（１０６）との係合によって前記カメラハウジング部材（１０２）を支持するように構成されたカメラハウジング取り付け部材（１０４）、
支台（１１２）、並びに
前記支台（１１２）から一定の距離をおいて配置された旋回ジョイント（１１４）を備え、前記旋回ジョイント（１１４）が、
前記カメラハウジング部材（１０２）と前記カメラハウジング取り付け部材（１０４）のうちの一方に結合されたフック部分（１１６）、及び
前記カメラハウジング部材（１０２）と前記カメラハウジング取り付け部材（１０４）のうちの他方に結合された旋回軸部分（１１８）を備え、
前記フック部分（１１６）が前記旋回軸部分（１１８）と係合するように、前記カメラハウジング取り付け部材（１０４）に対する前記カメラハウジング部材（１０２）の前記カメラハウジング部材延伸平面（１０８）に平行なフッキング方向（１２０）への動きによって、前記カメラハウジング部材（１０２）が前記カメラハウジング取り付け部材（１０４）と着脱可能に連結され、
前記カメラハウジング部材（１０２）が、前記カメラハウジング取り付け部材（１０４）に連結された状態で、
前記カメラハウジング部材延伸平面（１０８）が前記取り付け平面（１１０）に対して傾いている第１の端位置（１２４）と、
前記カメラハウジング部材延伸平面（１０８）が前記取り付け平面（１１０）に整列している第２の端位置（１２６）と、
の間で前記旋回ジョイント（１１４）の周りで関節接合（１２２）によって可動であり、
前記カメラハウジング部材（１０２）が前記第１の端位置（１２４）にあるときに、前記カメラハウジング取り付け部材（１０４）に対する前記カメラハウジング部材（１０２）の前記カメラハウジング部材延伸平面（１０８）に平行で且つ前記フッキング方向（１２０）とは反対の非フッキング方向（１２８）への動きに応じて、前記支台（１１２）が前記カメラハウジング取り付け部材（１０４）又は前記カメラハウジング部材（１０２）に係合し、それによって、前記カメラハウジング部材（１０２）の前記カメラハウジング取り付け部材（１０４）からの連結解除を妨げるように、前記支台（１１２）が、前記カメラハウジング部材（１０２）と前記カメラハウジング取り付け部材（１０４）のうちの一方に結合され、前記カメラハウジング取り付け部材（１０４）と前記カメラハウジング部材（１０２）のうちの他方と協働するように配置されている、カメラハウジング構成。
【請求項２】
前記支台（１１２）が、前記カメラハウジング部材（１０２）の前記底側（１０６）に配置されている、請求項１に記載のカメラハウジング構成。
【請求項３】
前記第１の端位置（１２４）と前記第２の端位置（１２６）との間で前記カメラハウジング部材（１０２）が動く間に、前記旋回軸部分（１１８）の第１の旋回軸（１１８ａ）と前記旋回軸部分（１１８）の第２の旋回軸（１１８ｂ）との間で前記関節接合（１２２）がシフトするように、前記旋回ジョイント（１１４）が配置されている、請求項１又は２に記載のカメラハウジング構成。
【請求項４】
前記旋回軸部分（１１８）が、前記カメラハウジング取り付け部材（１０４）に結合され、
前記カメラハウジング取り付け部材（１０４）が、前記旋回軸部分（１１８）の前記第２の旋回軸（１１８ｂ）を規定するシャフト部分（１３６）が設けられた側端部（１３２）を有し、
前記カメラハウジング取り付け部材（１０４）が、前記側端部（１３２）に結合された上側（１３４）の側部分（１３４）に凹部階段構成（１３８）が設けられた前記上側（１３４）を有し、
前記凹部階段構成（１３８）が、前記旋回軸部分（１１８）の前記第１の旋回軸（１１８ａ）を規定する上角端部（１４２）を備える、請求項３に記載のカメラハウジング構成。
【請求項５】
前記カメラハウジング構成（１０２）が、前記カメラハウジング部材（１０２）の前記底側（１０６）に配置されたケーブルインターフェース（１４４）を更に備え、前記ケーブルインターフェース（１４４）へのアクセスが、前記カメラハウジング部材（１０２）が前記第１の端位置（１２４）にあるときに提供される、請求項１から４のいずれか一項に記載のカメラハウジング構成。
【請求項６】
前記第２の端位置（１２６）において、前記ケーブルインターフェース（１４４）が、前記カメラハウジング部材（１０２）の前記底側（１０６）と前記カメラハウジング取り付け部材（１０４）によって画定された空間（１５０）内に配置されている、請求項５に記載のカメラハウジング構成。
【請求項７】
前記カメラハウジング部材（１０２）が、前記旋回ジョイント（１１４）の近傍に張り出し部分（１４６）を備え、前記カメラハウジング部材（１０２）の質量の中心が、前記張り出し部分（１４６）に結合されている、請求項１から６のいずれか一項に記載のカメラハウジング構成。
【請求項８】
前記カメラハウジング部材（１０２）が、前記旋回ジョイント（１１４）の近傍に張り出し部分（１４６）を備え、且つ、少なくとも部分的に前記張り出し部分（１４６）に配置されたカメラ手段（１４８）を備え、前記カメラハウジング部材（１０２）の質量の中心が、前記張り出し部分（１４６）に結合されている、請求項１から６のいずれか一項に記載のカメラハウジング構成。
【請求項９】
前記第１の端位置（１２４）において、前記カメラハウジング部材（１０２）の前記底側（１０６）が、前記カメラハウジング取り付け部材（１０４）の側端部（１３２）と係合するように配置され、それによって、前記第１の端位置（１２４）を規定する、請求項１から８のいずれか一項に記載のカメラハウジング構成。
【請求項１０】
前記カメラハウジング部材（１０２）が、前記旋回ジョイント（１１４）の近傍に張り出し部分（１４６）を備え、前記支台（１１２）が、前記旋回ジョイント（１１４）から一定の距離をおいて前記カメラハウジング部材（１０２）の前記底側（１０６）の前記張り出し部分（１４６）に配置され、前記距離が、前記支台（１１２）が前記カメラハウジング取り付け部材（１０４）と係合することなしに、前記カメラハウジング部材（１０２）が前記第１の端位置（１２４）を占めることを可能にするのに十分である、請求項１から９のいずれか一項に記載のカメラハウジング構成。
【請求項１１】
前記支台（１１２）が、冷却フィン（１１３）によって形成されている、請求項１から１０のいずれか一項に記載のカメラハウジング構成。
【発明の詳細な説明】
【技術分野】
【０００１】
本発明は、カメラハウジング構成に関する。
【背景技術】
【０００２】
監視カメラは、一般的に、警備員によって使用されるために表示され且つ／又は記録され得るビデオ映像のストリームを生成することによって、監視エリア内の物体又は人々をモニタするために使用される。監視エリアの明瞭な視界を得るために、監視カメラは、しばしば、地上から何メートルも高くに、壁に、支柱構造体に、又は天井構造体に取り付けられる。これは、監視カメラの設置者のための設置手順を複雑にし、保守を実行することもより困難にする。
【０００３】
この目的のために、設置者又は保守人員は、足場又は梯子を必要とするかもしれない。そのことは、監視カメラの取り扱いを更に複雑にする。
【０００４】
したがって、設置することが容易な監視カメラが必要である。より具体的には、設置者及び保守人員によって効率的に設置され取り扱われ得る監視カメラのためのカメラハウジング構成を提供する必要がある。
【発明の概要】
【０００５】
上述の観点から、本発明の目的は、効率的な設置及び／又は取り扱いを可能にするカメラハウジング構成を提供することである。更なる目的は、カメラハウジング構成の予想外の解体を妨げることである。その予想外の解体は、設置又は保守の間に、カメラハウジング構成又はその部品に損傷を与え得る。
【０００６】
第１の態様によれば、カメラハウジング構成が提供される。カメラハウジング構成は、底側を有し且つカメラハウジング部材延伸平面内で延在するカメラハウジング部材、
取り付け平面を規定し且つカメラハウジング部材の底側との係合によってカメラハウジング部材を支持するように配置されたカメラハウジング取り付け部材、
支台、並びに
支台から一定の距離をおいて配置された旋回ジョイントを備え、旋回ジョイントが、
カメラハウジング部材とカメラハウジング取り付け部材のうちの一方に結合されたフック部分、及び
カメラハウジング部材とカメラハウジング取り付け部材のうちの他方に結合された旋回軸部分を備え、
フック部分が旋回軸部分と係合するように、カメラハウジング取り付け部材に対するカメラハウジング部材のカメラハウジング部材延伸平面に平行なフッキング方向への動きによって、カメラハウジング部材がカメラハウジング取り付け部材と着脱可能に連結され、
カメラハウジング部材が、カメラハウジング取り付け部材に連結された状態で、
カメラハウジング部材延伸平面が前記取り付け平面に対して傾いている第１の端位置と、
カメラハウジング部材延伸平面が前記取り付け平面に整列している第２の端位置と、
の間で旋回ジョイントの周りで関節接合によって可動であり、
カメラハウジング部材が前記第１の端位置にあるときに、カメラハウジング取り付け部材に対するカメラハウジング部材のカメラハウジング部材延伸平面に平行で且つ前記フッキング方向とは反対の非フッキング方向への動きに応じて、支台がカメラハウジング取り付け部材又はカメラハウジング部材に係合し、それによって、カメラハウジング部材のカメラハウジング取り付け部材からの連結解除を妨げるように、支台が、カメラハウジング部材とカメラハウジング取り付け部材のうちの一方に結合され、カメラハウジング取り付け部材とカメラハウジング部材のうちの他方と協働するように配置されている。
【０００７】
利点は、設置及び／又は保守の間に改良された取り扱いを可能にするカメラハウジング構成が提供されることである。
【０００８】
フック部分と旋回軸部分は、カメラハウジング部材とカメラハウジング取り付け部材との間の着脱可能な連結を提供する。カメラハウジング構成は、それによって、より単純なやり方で組み立てられ得る。
【０００９】
設置者及び保守人員は、単純で安全なやり方でカメラハウジング部材の種々の部分へアクセスすることもできるようになる。
【００１０】
より詳細には、設置者が、カメラハウジング取り付け部材に対するカメラハウジング部材のカメラハウジング部材延伸平面に平行なフッキング方向への動きによって、フック部分を旋回軸部分に係合させることによって、カメラハウジング部材を着脱可能に連結し得る。
【００１１】
フッキング方向は、カメラハウジング部材延伸平面に対して規定され、したがって、空間内のカメラハウジング部材延伸平面の配向に応じて、空間内で変動し得ることに留意されたい。
【００１２】
カメラハウジング部材は、カメラハウジング取り付け部材が、例えば、壁又は支柱に取り付けられているマウントに取り付けられた後で、カメラハウジング取り付け部材に更に取り付けられ得る。したがって、カメラハウジング構成の設置は、設置者の負担を軽減させる一連のステップで実行され得る。
【００１３】
カメラハウジング構成が連結された状態にあるときに、旋回ジョイントの周りの関節接合が、カメラハウジング部材とカメラハウジング取り付け部材の相対的な動きを更に可能にする。言い換えると、カメラハウジング部材は、カメラハウジング取り付け部材に対して傾けられ得る。例えば、カメラハウジング部材の底側へのアクセスが、設置者又は保守人員に提供され得る。
【００１４】
カメラハウジング取り付け部材又はカメラハウジング部材と協働し係合する支台の利点は、カメラハウジング部材が第１の端位置にあるときに、支台が、カメラハウジング部材のカメラハウジング取り付け部材からの連結解除を妨げることである。
【００１５】
したがって、設置及び／又は保守の間に、カメラハウジング部材とカメラハウジング取り付け部材の予想外の連結解除が妨げられる。より詳細には、カメラハウジング構成は、設置者又は保守人員が、カメラハウジング取り付け部材とカメラハウジング部材との間の相対的な動きに応じて、支台がカメラハウジング取り付け部材又はカメラハウジング部材に係合し得る第１の端位置まで、カメラハウジング部材を回転させることを可能にする。カメラハウジング取り付け部材に対するカメラハウジング部材の動きによる任意の予想外の連結解除は、そのやり方で、第１の端位置で妨げられる。
【００１６】
より具体的には、カメラハウジング取り付け部材に対するカメラハウジング部材のカメラハウジング部材延伸平面に平行で且つ前記フッキング方向とは反対の非フッキング方向への動きに応じて、カメラハウジング取り付け部材又はカメラハウジング部材と協働し係合する支台が、カメラハウジング部材のカメラハウジング取り付け部材からの連結解除を妨げる。
【００１７】
利点は、フッキング部分及び／又は旋回部分に加えられる力が、非フッキング方向に沿った動きに対して低減されるということである。したがって、フッキング部分及び／又は旋回部分のより単純でロバストでない設計が使用され得る。それは、カメラハウジング構成を製造するための費用を削減する。結果として、より大きな柔軟性を有するフッキング部分が選ばれ得る。
【００１８】
旋回ジョイントが第１の位置にあるときに、設置者又は保守人員は、カメラハウジング部材を放す。したがって、彼らの少なくとも１つの手が自由にされ、カメラハウジング構成の取り扱いを改良する。カメラハウジング取り付け部材がマウントに固定された条件下では、旋回ジョイントが第１の位置にあるときに、両手が自由であり得る。
【００１９】
この用途では、フッキング方向と非フッキング方向が、カメラハウジング部材延伸平面に対して規定され、カメラハウジング部材延伸平面に対して平行であると理解されるべきことに留意されたい。したがって、以下で説明されるように、空間内のカメラハウジング部材延伸平面の配向に応じて、非フッキング方向も、空間内で変動し得る。
【００２０】
支台は、カメラハウジング部材の底側に配置され得る。
【００２１】
旋回ジョイントは、第１の端位置と第２の端位置との間でカメラハウジング部材が動く間に、旋回軸部分の第１の旋回軸と旋回軸部分の第２の旋回軸との間で関節接合がシフトするように配置され得る。
【００２２】
旋回軸部分は、カメラハウジング取り付け部材に結合され得る。カメラハウジング取り付け部材は、旋回軸部分の第２の旋回軸を規定するシャフト部分が設けられた側端部を有し、カメラハウジング取り付け部材は、前記側端部に結合された上側の側部分に凹部階段構成が設けられた上側を有し、凹部階段構成は、旋回軸部分の第１の旋回軸を規定する上角端部を備える。
【００２３】
それによって、より優れた旋回運動が得られ得る。シャフト部分は、フック部分を受容するように構成され得る。フック部分とシャフト部分との間の遊びは、第１の旋回軸と第２の旋回軸との間の関節接合のシフトによって軽減され得る。フック部分及び／又は旋回軸部分の製造における制約が、更に低減される。したがって、カメラハウジング構成のより費用効果に優れた製造が、実現可能である。
【００２４】
カメラハウジング構成は、カメラハウジング部材の底側に配置されたケーブルインターフェースを更に備え得る。ケーブルインターフェースへのアクセスは、カメラハウジング部材が第１の端位置にあるときに提供され得る。それによって、ケーブルインターフェースへの改良されたアクセスが、カメラハウジング構成の設置及び／又は保守の間に提供される。
【００２５】
ケーブルインターフェースという表現は、ケーブルがそこを通って挿入され又は連結されるところのカメラハウジング部材の一部分として解釈され得る。したがって、ケーブルインターフェースは、カメラハウジング部材の内部への機械的及び／又は電気的アクセスが、それによって提供され得るところのものと広く解釈されるべきである。カメラハウジング部材の範囲内に配置されたビデオカメラなどの電気部品への／電気部品からの電力供給及びデータ送信が、それによって実現され得る。
【００２６】
例えば、ケーブルインターフェースは、グロメット（grommet）を有するか又は有さない開口部であり得る。ケーブルインターフェースは、代替的に、電気コネクタ又は流体コネクタなどのケーブルコネクタを備え得る。
【００２７】
第２の端位置では、ケーブルインターフェースが、カメラハウジング部材の底側とカメラハウジング取り付け部材によって画定された空間内に配置され得る。
【００２８】
利点は、ケーブルインターフェースが、画定された空間内で保護されるということである。それによって、ケーブルインターフェースは、カメラハウジング構成を取り囲む環境から保護され得る。認証されずにケーブルを弄ることも、妨げられ得る。その空間内で保護されるので、より複雑ではないケーブルインターフェースが更に使用され得る。
【００２９】
カメラハウジング部材は、旋回ジョイントの近傍に張り出し部分を備え得る。カメラハウジング部材の質量の中心は、前記張り出し部分に結合されている。
【００３０】
結果として、カメラハウジング取り付け部材に連結されたときに、重力が、カメラハウジング部材を第１の端位置へ旋回させ、又は少なくともカメラハウジング部材を動かすために必要な力を低減させることとなる。それによって、カメラハウジング構成の単純化された取り扱いが、設置者又は保守人員に提供される。重力は、カメラハウジング部材を特定の位置、すなわち、第１の位置へ駆動もする。第１の位置では、支台が、カメラハウジング取り付け部材とカメラハウジング部材の相対的な動きに応じて、カメラハウジング取り付け部材又はカメラハウジング部材と係合する。それによって、カメラハウジング構成の２つの部材の「セルフロッキング」が得られ得る。更に、カメラハウジング部材のカメラハウジング取り付け部材からの予想外の連結解除が妨げられる。
【００３１】
カメラハウジング部材は、旋回ジョイントの近傍に張り出し部分を備え、且つ、少なくとも部分的に前記張り出し部分に配置されたカメラ手段を備え得る。カメラハウジング部材の質量の中心は、前記張り出し部分に関連付けられている。
【００３２】
それによって、カメラ手段の重量は、カメラハウジング部材がカメラハウジング取り付け部材に連結されたときに、カメラハウジング部材を第１の端位置へ旋回させ、又は少なくともカメラハウジング部材を動かすために必要な力を低減させ得る。それによって、設置者又は保守人員は、支台が、カメラハウジング取り付け部材とカメラハウジング部材の相対的な動きに応じて、カメラハウジング取り付け部材又はカメラハウジング部材と係合するところの、第１の端位置までカメラハウジング部材を回転させ得る。カメラハウジング部材の底側へのアクセスが、提供され得る。それは、例えば、上述のケーブルインターフェースを通るカメラの連結を単純化する。
【００３３】
前記第１の端位置において、カメラハウジング部材の底側は、カメラハウジング取り付け部材の側端部と係合するように配置され得る。それによって、第１の端位置を規定する。
【００３４】
それによって、優れて規定された第１の端位置が得られる。フック部分及び／又は旋回軸部分に加えられる力が、更に低減され得る。したがって、カメラハウジング構成を形成するときに、フック部分及び／又は旋回軸部分のより単純な制約が使用され得る。
【００３５】
カメラハウジング部材は、旋回ジョイントの近傍に張り出し部分を備え得る。支台が、旋回ジョイントから一定の距離をおいてカメラハウジング部材の底側の張り出し部分に配置される。その距離は、支台がカメラハウジング取り付け部材と係合することなしに、カメラハウジング部材が第１の端位置を占めることを可能にするのに十分である。
【００３６】
質量の中心は、空間内の質量の分布、すなわち、空間内の質量の分布の平均位置を表す空間内の単一点として理解され得る。したがって、前記張り出し部分に関連付けられた表現は、広く解釈されるべきである。質量の中心は、張り出し部分、すなわち、旋回ジョイントから離れて突出する部分を形成する材料の内側若しくは外側のポイントによって表され得る。
【００３７】
支台は、冷却フィンによって形成され得る。
【００３８】
冷却フィンによって形成される支台は、カメラハウジング部材に配置され得る。
【００３９】
本発明の適用性の更なる範囲は、以下に与えられる詳細な説明から明らかになるであろう。しかし、この詳細な説明によって本発明の範囲内の様々な変更及び修正が当業者に明らかとなるため、詳細な説明及び具体例は、本発明の好適な実施形態を示しながらも単なる例として提示されることを理解されたい。
【００４０】
したがって、記載のデバイス及び記載の方法は異なる場合があるため、この発明は、記載のデバイスの特定の構成要素部品又は記載の方法のステップに限定されないことを理解されたい。また、本明細書で使用される用語は、特定の実施形態だけを説明することを目的としており、限定的であることを意図していないということも理解されるべきである。明細書及び添付の特許請求の範囲で使用されるように、冠詞「１つの（「ａ」、「ａｎ」）」、及び「前記（「ｔｈｅ」、「ｓａｉｄ」）」は、文脈が明らかにそうでないことを示さない限り、要素のうちの一又は複数が存在することを意味すると意図している点に留意しなければならない。従って、例えば、「部」（ａ  ｕｎｉｔ）又は「当該部」（ｔｈｅ  ｕｎｉｔ）に言及した場合、これは幾つかのデバイスなどを含んでもよい。更に、用語「含む（「ｃｏｍｐｒｉｓｉｎｇ」、「ｉｎｃｌｕｄｉｎｇ」、「ｃｏｎｔａｉｎｉｎｇ」）及び類似の表現は、他の要素又はステップを除外しない。
【００４１】
本発明の上記の態様及びその他の態様を、本発明の実施形態を示す添付の図面を参照しながら更に詳細に説明する。図面は発明を具体的な実施形態へと限定するものでなく、本発明の説明及び理解のためのものである。
【００４２】
図面に示すように、レイヤーと領域のサイズは図示目的のために誇張され、本発明の実施形態の一般構造を示すために提供されている。類似の参照番号は、全体を通して類似の要素を指す。
【図面の簡単な説明】
【００４３】
【図１ａ】カメラハウジング構成を示す。
【図１ｂ】カメラハウジング構成を示す。
【図１ｃ】カメラハウジング構成を示す。
【図２ａ】カメラハウジング構成を示す。
【図２ｂ】カメラハウジング構成を示す。
【図２ｃ】カメラハウジング構成を示す。
【図２ｄ】カメラハウジング構成を示す。
【図２ｅ】カメラハウジング構成を示す。
【図３】カメラハウジング構成の斜視図を示す。
【図４】カメラハウジング構成の斜視図を示す。
【図５】カメラハウジング構成の側面図を示す。
【図６】カメラハウジング構成の側面図を示す。
【発明を実施するための形態】
【００４４】
これより、本発明の現時点で好ましい実施形態を示す添付図面を参照して、本発明を以下により詳細に説明する。しかしながら本発明は多くの異なる形態で実施されることができ、本明細書で説明される実施形態に限定されるものと解釈されるべきではなく、これらの実施形態はむしろ、本開示が包括的で完全となるように提供されており、当業者に本発明の範囲を十分に伝えるためのものである。
【００４５】
図１ａ、図１ｂ、及び図１ｃは、カメラハウジング構成１００を示す。カメラハウジング構成１００は、カメラハウジング部材１０２とカメラハウジング取り付け部材１０４を備える。カメラハウジング部材１０２は、底側１０６を有し、カメラハウジング部材延伸平面１０８内で延在する。カメラハウジング取り付け部材１０４は、取り付け平面１１０を規定する。取り付け平面１１０は、カメラハウジング部材１０２の底側１０６との係合によって、カメラハウジング部材１０２を支持するように配置されている。
【００４６】
カメラハウジング部材１００は、支台１１２、及び旋回ジョイント１１４を更に備える。旋回ジョイント１１４は、カメラハウジング部材１０２に結合されたフック部分１１６、及びカメラハウジング取り付け部材１０４に結合された旋回軸部分１１８を備える。
【００４７】
図１ａを参照すると、カメラハウジング部材１０２は、カメラハウジング取り付け部材１０４に対するカメラハウジング部材１０２のカメラハウジング部材延伸平面１０８に平行なフッキング方向１２０への動きによって、カメラハウジング取り付け部材１０４と着脱可能に連結される。それによって、カメラハウジング部材１０２がカメラハウジング取り付け部材１０４と連結されるように、フック部分１１６は、旋回軸部分１１８と係合し得る。カメラハウジング取り付け部材１０４と連結されたときに、カメラハウジング部材１０２は、旋回ジョイント１１４の周りで関節接合１２２によって可動である。より具体的には、可動な関節接合１２２が、カメラハウジング部材延伸平面１０８が前記取り付け平面１１０に対して傾いた第１の端位置（図１ｂ参照）と、カメラハウジング部材延伸平面１０８が前記取り付け平面１１０に整列した第２の端位置（図１ｃ参照）と、の間にある。言い換えると、カメラハウジング部材１０２は、それぞれ、閉じた端位置（図１ｃ参照）と開いた端位置（図１ｂ参照）との間で、カメラハウジング取り付け部材１０４に対して可動である。
【００４８】
図１ａから図１ｃでは、支台１１２が、カメラハウジング部材１０２に結合されている。カメラハウジング部材１０２が、第１の端位置１２４にあるときに、支台１１２は、カメラハウジング取り付け部材１０４と協働するように配置されている。結果として、支台１１２は、カメラハウジング取り付け部材１０４に対するカメラハウジング部材１０２の前記カメラハウジング部材延伸平面１０８に平行で且つ前記フッキング方向１２０とは反対の非フッキング方向１２８（図１ｂ参照）への動きに応じて、カメラハウジング取り付け部材１０４に係合する。
【００４９】
カメラハウジング取り付け部材１０４と協働し、動きに応じてカメラハウジング取り付け部材１０４に係合する、支台１１２の利点は、カメラハウジング部材１０２が第１の端位置１２４にあるときに、支台が、カメラハウジング部材１０２のカメラハウジング取り付け部材１０４からの連結解除を妨げることである。
【００５０】
したがって、設置及び／又は保守の間に、カメラハウジング部材１０２とカメラハウジング取り付け部材１０４の予想外の連結解除は妨げられる。
【００５１】
フッキング方向１２０と非フッキング方向１２８は、カメラハウジング部材延伸平面１０８に対して規定されることに留意されたい。したがって、カメラハウジング部材１０２の動きの結果として、如何にしてカメラハウジング部材延伸平面１０８が空間内で変動するかに応じて、フッキング方向１２０と非フッキング方向１２８は、それらの方向を変化させ得る。
【００５２】
図１ａから図１ｃにおいて示されている支台１１２は、カメラハウジング部材１０２の底側１０６に配置されている。しかし、代替的に、カメラハウジング部材が第１の端位置にあるときに、カメラハウジング部材の動きに応じて、支台がカメラハウジング部材と係合するように、支台が、カメラハウジング取り付け部材に結合され、カメラハウジング部材と協働するように配置され得ることに留意されたい。
【００５３】
一実施例として、カメラハウジング部材が第１の端位置にあるときのカメラハウジング部材との協働は、支台が、カメラハウジング部材の底側に形成された凹部の中へ延在する突起を形成することによって実現され得る。したがって、支台は、カメラハウジング取り付け部材の側部表面又は底側に配置され得る。
【００５４】
以下では、カメラハウジング構成１００が、説明されることとなる。カメラハウジング構成１００に対して、第１の端位置１２４と第２の端位置１２６との間でカメラハウジング部材１０２が動く間に、関節接合１２２が適所にシフトする。関節接合１２２のシフトは、より優れて規定された旋回運動を可能にする。より詳細には、カメラハウジング構成１００が、第１の端位置１２４と第２の端位置１２６との間でカメラハウジング部材１０２が動く１２２間に、旋回軸部分１１８の第１の旋回軸１１８ａと旋回軸部分１１８の第２の旋回軸１１８ｂとの間で関節接合１２２がシフトするように配置された、旋回ジョイント１１４を備える。図２ａから図２ｅは、シーケンスにおける関節接合１２２のシフトを示している。示されている実施形態では、カメラハウジング部材１０２が第２の端位置１２６から第１の端位置１２４へ動く間に、関節接合１２２が、第１の旋回軸１１８ａから第２の旋回軸１１８ｂの間でシフトする。
【００５５】
シーケンスの第１の状態では、図２ａを参照すると、カメラハウジング部材１０２が、第２の端位置１２６にあるように示されている。カメラハウジング部材１０２は、旋回軸部分１１８に係合するフック部分１１６によって、カメラハウジング取り付け部材１０４と着脱可能に連結されている。フック部分１１６は、カメラハウジング取り付け部材１０４内の開口部１３０を通って延在するように示されている。図２ａは、カメラハウジング取り付け部材１０４が、側端部１３２と上側１３４を有することを更に示している。側端部１３２には、旋回軸部分１１８の第２の旋回軸１１８ｂを規定するシャフト部分１３６が設けられている。上側１３４には、側端部１３２に結合された上側１３４の側部分１４０に凹部階段構成１３８が設けられている。凹部階段構成１３８は、旋回軸部分１１８の第１の旋回軸１１８ａを規定する上角端部を備える。
【００５６】
図２ｂから図２ｄは、シーケンスの後段階を示している。それらは、旋回ジョイント１１４が、第１の端位置１２４と第２の端位置１２６との間のカメラハウジング部材１０２の動きの間の、旋回軸部分１１８の第１の旋回軸１１８ａと旋回軸部分１１８の第２の旋回軸１１８ｂとの間の関節接合１２２におけるシフトを如何にして可能にするかを示している。それによって、フック部分１１６とシャフト部分１３６との間の遊びが軽減され得る。
【００５７】
より詳細には、図２ｂは、カメラハウジング部材１０２が、第２の端位置１２６から第１の端位置１２４に向けて回転するときに、最初に、第１の旋回軸１１８ａの周りで関節接合１２２が生じることを示している。図２ｃ及び図２ｄは、それらの間で関節接合１２２が第１の旋回軸１１８ａから第２の旋回軸１１１８ｂへシフトするところの２つの中間位置１２７及び１２９において、カメラハウジング取り付け部材１０４に対してカメラハウジング部材１０２が配置されるときを更に示している（図２ｃ及び図２ｄ参照）。
【００５８】
言い換えると、中間状態１２７では、第１の旋回軸１１８ａの周りで回転が実現され、一方、中間状態１２９では、第２の旋回軸１１８ｂの周りで回転が実現される。
【００５９】
最後に、図２ｅは、第１の端位置１２４まで完全に回転した１２２ときのカメラハウジング部材１０２を示している。
【００６０】
図３から図５は、種々の斜視図におけるカメラハウジング構成１００を概略的に示している。図３は、第２の端位置１２６から第１の端位置１２４への動きの中間状態１３１にあるカメラハウジング構成１００を示している。図３のカメラハウジング構成１００は、上述したように、カメラハウジング部材１０２とカメラハウジング取り付け部材１０４を備える。カメラハウジング取り付け部材１０４は、マウント２００に取り付けられている。図４及び図５は、それぞれ、第１の端位置１２４と第２の端位置１２６にある同じカメラハウジング構成１００を示している。
【００６１】
上述もされたように、カメラハウジング部材１０２は、カメラハウジング部材１０２とカメラハウジング取り付け部材１０４の相対的な動き、すなわち、それによってフック部分１１６が旋回軸部分１１８に係合するところの、カメラハウジング部材延伸平面１０８と平行なフッキング方向１２０への動きによって、カメラハウジング取り付け部材１０４と着脱可能に連結されてしまった。
【００６２】
図３および図４は、カメラハウジング構成１００が、カメラハウジング部材１０２の底側１０６に配置されたケーブルインターフェース１４４を備え得ることを更に示している。それによって、ケーブルインターフェース１４４へのアクセスは、カメラハウジング部材１０２が中間状態１３１にあるときに提供される。非限定的な一実施例として、ケーブルインターフェース１４４は、開口部を備える。グロメット１４５が、開口部内に更に配置されている。
【００６３】
ケーブルインターフェース１４４へのアクセスは、カメラハウジング部材１０２が第１の端位置１２４（図４参照）にあるときにも提供され得る。それによって、ケーブルインターフェース１４４への改良されたアクセスが、カメラハウジング構成１００の設置及び／又は保守の間に提供される。
【００６４】
カメラハウジング部材１０２は、旋回ジョイントの近傍に張り出し部分１４６を備え得る（図３又は図４参照）。カメラハウジング部材１０２の質量の中心は、張り出し部分１４６に結合されている。結果として、重力が、カメラハウジング部材１０２を第１の端位置１２４に向けて若しくは第１の端位置１２４まで旋回させ、又は少なくとも旋回のために必要とされる力を低減させることとなる。それによって、カメラハウジング構成１００の単純化された取り扱いが、設置者又は保守人員に提供される。
【００６５】
カメラハウジング部材１０４は、少なくとも部分的に張り出し部分１４６に配置されたカメラ手段１４８を更に備え得る（図３及び図４参照）。それによって、カメラハウジング部材１０２の質量の中心は、張り出し部分１４６に結合されている。それによって、カメラ手段１４８の重量は、カメラハウジング部材がカメラハウジング取り付け部材に連結されたときに、カメラハウジング部材を第１の端位置１２４へ旋回させ、又は少なくともカメラハウジング部材を動かすために必要な力を低減させ得る。
【００６６】
図４は、第１の端位置１２４において、カメラハウジング部材１０２の底側１０６が、カメラハウジング取り付け部材１０４の側端部１３２と係合するように配置され、それによって、第１の端位置１２４を規定し得ることを更に示している。明瞭さのために、そのような係合は、図１ｂ又は図２ｅにも示されている。それによって、フック部分１１６及び／又は旋回軸部分１１８に加えられる力が低減され得る。
【００６７】
図３及び図４は、支台１１２が、旋回ジョイント１１４から一定の距離をおいて、カメラハウジング部材１０２の底側１０６の張り出し部分１４６に配置され得ることを更に示している。その距離は、支台１１２がカメラハウジング取り付け部材１０４と係合することなしに、カメラハウジング部材１０２が第１の端位置１２４を占めることを可能にするのに十分である。これは有利である。何故ならば、重力が、カメラハウジング部材１０２を、ある位置すなわち第１の位置１２４へ駆動し、第１の位置１２４で、支台は、相対的な動きに応じてカメラハウジング取り付け部材１０４と係合するからである。それによって、カメラハウジング構成１００の２つの部材１０２、１０４の「セルフロッキング」が得られ得る。
【００６８】
図３及び図４で示されるカメラハウジング部材１０２は、冷却フィン１１３の形態を採る支台１１３を更に備える。
【００６９】
図５は、図３及び図４と同じカメラハウジング構成１００を示しているが、それは、第２の端位置１２６にセットされている。図５では、第２の端位置１２６において、ケーブルインターフェース１４４が、カメラハウジング部材１０２の底側とカメラハウジング取り付け部材１０４によって画定された空間内に配置され得る。利点は、ケーブルインターフェースが、画定された空間１５０内で保護されるということである。
【００７０】
完全さのために、図６は、図３から図５と同じカメラハウジング構成１００を示しているが、カメラハウジング部材が、第１の端位置１２４にあるとき、すなわち、図４で示されたものとは異なる視点から見られたときである。
【００７１】
当業者は、本発明がいかなる意味においても、上述した好ましい実施形態に限定されないことを理解するであろう。むしろ、添付の特許請求項の範囲内で多くの修正例及び変形例が可能である。
【００７２】
例えば、上述の説明に対する一代替案として、旋回ジョイントが、カメラハウジング取り付け部材に結合されたフック部分、及びカメラハウジング部材に結合された旋回軸部分を備えてもよい。
【００７３】
同様に、代替的に、カメラハウジング部材が前記第１の端位置にあるときに、支台がカメラハウジング部材と係合するように、支台が、カメラハウジング取り付け部材に結合され、カメラハウジング部材と協働するように配置され得る。
【００７４】
加えて、当業者は、特許請求される本発明を実施する際に、図面、開示内容、及び添付の特許請求項を精査することにより、開示された実施形態の変形例を理解し実行することが可能である。
【図１ａ】
2019032504.tif 000003
【図１ｂ】
2019032504.tif 000004
【図１ｃ】
2019032504.tif 000005
【図２ａ】
2019032504.tif 000006
【図２ｂ】
2019032504.tif 000007
【図２ｃ】
2019032504.tif 000008
【図２ｄ】
2019032504.tif 000009
【図２ｅ】
2019032504.tif 000010
【図３】
2019032504.tif 000011
【図４】
2019032504.tif 000012
【図５】
2019032504.tif 000013
【図６】
2019032504.tif 000014
【外国語明細書】
2019032504000001.pdf
2019032504000002.pdf
2019032504000003.pdf
2019032504000004.pdf